(57)【要約】  第１のハウジング３２と、第１のハウジング３２と連係可能な第２のハウジング３４と、第１のハウジング及び第２のハウジング３４のうちの少なくとも１つの中に配される電子機器パッケージ３６と、第１のハウジング３２に結合されるロールフレーム４０と、ロールフレーム４０内に回転可能に配され、第２のハウジング３４に接続される一端を有し、電子機器パッケージ３６からの情報を表示するために電子機器パッケージ３６に動作可能に接続される巻込可能ディスプレイ３８と、第１の脚部アセンブリ５２、第２の脚部アセンブリ５４及び結合アセンブリ５６を有する延展機構５０とを有する。第１の脚部アセンブリ５２は、第１のハウジング３２及び第２のハウジング３４と結合し、第２の脚部アセンブリ５４は、第１のハウジング３２及び第２のハウジング３４と結合し、結合アセンブリ５６は、第１の脚部アセンブリ５２及び第２の脚部アセンブリ５４と結合する。
2008516270.tif 000002
【特許請求の範囲】
【請求項１】
巻込可能型表示装置であって、
第１のハウジングと、
前記第１のハウジングと連係可能な第２のハウジングと、
前記第１のハウジング及び前記第２のハウジングのうちの少なくとも１つの中に配される電子機器パッケージと、
前記第１のハウジングに結合されるロールフレームと、
前記ロールフレームにおいて回転可能に配され、前記第２のハウジングに結合される一端を有し、前記電子機器パッケージからの情報を表示するために前記電子機器パッケージに動作可能に接続される巻込可能ディスプレイと、
第１の脚部アセンブリ、第２の脚部アセンブリ及び結合アセンブリを有する延展機構と、
を有し、
前記第１の脚部アセンブリは、前記第１のハウジング及び前記第２のハウジングを結合し、前記第２の脚部アセンブリは、前記第１のハウジング及び前記第２のハウジングを結合し、前記結合アセンブリは、前記第１の脚部アセンブリ及び前記第２の脚部アセンブリを結合する、
装置。
【請求項２】
請求項１に記載の装置であって、前記第１の脚部アセンブリは、第１のナックルヒンジ継手により結合された第１の脚部及び第２の脚部を有し、前記第２の脚部アセンブリは、第２のナックルヒンジ継手により結合された第３の脚部及び第４の脚部を有し、前記結合アセンブリは、前記第１のナックルヒンジ継手により前記第１の脚部アセンブリに結合され前記第２のナックルヒンジ継手により前記第２の脚部アセンブリに結合される、装置。
【請求項３】
請求項２に記載の装置であって、前記結合アセンブリは、溝を有し、前記第２のナックルヒンジ継手は、前記溝に摺動可能に配されたピンを有する、装置。
【請求項４】
請求項３に記載の装置であって、前記溝は、前記第１のナックルヒンジ継手の反対に前記溝の端部の近くに結節部を有し、この結節部は、前記巻込可能ディスプレイが伸長したときに前記ピンを保持する、装置。
【請求項５】
請求項３に記載の装置であって、前記第３の脚部及び前記第４の脚部のうちの１つは、前記巻込可能ディスプレイが巻かれるときに前記結合アセンブリを受け入れるスロットを有する、装置。
【請求項６】
請求項１に記載の装置であって、前記第１の脚部アセンブリは、第１の脚部及び第２の脚部を有し、前記第２の脚部アセンブリは、第３の脚部及び第４の脚部を有し、前記第１の脚部は、前記第３の脚部と略平行であり、前記第２の脚部は、前記第４の脚部と略平行である、装置。
【請求項７】
請求項６に記載の装置であって、前記第３の脚部は、第１の回転軸において前記結合アセンブリと結合され、前記第４の脚部は、第２の回転軸において前記結合アセンブリと結合され、前記第３の脚部は、前記第１の回転軸について配された第１の歯車を有し、前記第４の脚部は、前記第２の回転軸について配された第２の歯車を有し、前記第１の歯車は、前記第２の歯車と係合する、装置。
【請求項８】
請求項６に記載の装置であって、前記第３の脚部は、第１の回転軸において前記結合アセンブリと結合され、前記第４の脚部は、第２の回転軸において前記結合アセンブリと結合され、前記第３の脚部は、前記第１の回転軸について配された第１の角度形成停止部を有し、前記第４の脚部は、前記第２の回転軸について配された第２の角度形成停止部を有し、前記第１の角度形成停止部は、前記巻込可能ディスプレイが伸長したときに前記第２の角度形成停止部と係合する、装置。
【請求項９】
請求項６に記載の装置であって、前記第１の脚部は、回転軸において前記第２のハウジングと結合され、前記第１の脚部は、前記回転軸について回転可能な延長部を有し、当該装置はさらに、前記延長部と前記第２のハウジングとの間に動作可能に結合されて前記巻込可能ディスプレイを伸長構成に向かって付勢するスプリングを有する、装置。
【請求項１０】
請求項１に記載の装置であって、前記巻込可能ディスプレイは、前記巻込可能ディスプレイを巻込構成に向かって付勢するための閉成力を掛けるローラスプリングを有する、装置。
【請求項１１】
請求項１０に記載の装置であって、巻込構成に向かって前記巻込可能ディスプレイを付勢する開放力を掛けるよう前記延展機構に動作可能に結合された少なくとも１つのスプリングをさらに有する、装置。
【請求項１２】
請求項１０に記載の装置であって、伸長構成に向かって前記巻込可能ディスプレイを付勢する開放力を掛けるよう前記延展機構に動作可能に結合された少なくとも１つのスプリングをさらに有する、装置。
【請求項１３】
請求項１２に記載の装置であって、前記少なくとも１つのスプリングは、前記延展機構を横切る位置、及び前記延展機構と前記第１のハウジング及び前記第２のハウジングのうちの少なくとも１つとの間の位置からなるグループから選択される位置において前記延展機構と結合されている、装置。
【請求項１４】
請求項１２に記載の装置であって、前記開放力は、前記閉成力よりも大きい、装置。
【請求項１５】
請求項１４に記載の装置であって、前記第１のハウジングと前記第２のハウジングとの間に動作可能に結合された把持アセンブリをさらに有し、前記把持アセンブリは、前記把持アセンブリが係合させられるときに前記巻込可能ディスプレイを前記巻込構成に維持する、装置。
【請求項１６】
請求項１２に記載の装置であって、前記開放力は、前記閉成力よりも小さい、装置。
【請求項１７】
請求項１６に記載の装置であって、前記延展機構に動作可能に結合された把持アセンブリをさらに有し、前記把持アセンブリは、前記把持アセンブリが係合させられるときに前記巻込可能ディスプレイを前記伸長構成に維持する、装置。
【請求項１８】
請求項１２に記載の装置であって、前記開放力は、前記閉成力と略等しい、装置。
【請求項１９】
請求項１８に記載の装置であって、前記延展機構に動作可能に結合された片手制御手段をさらに有する装置。
【請求項２０】
請求項１９に記載の装置であって、前記電子機器パッケージは、前記巻込可能ディスプレイを前記巻込構成から伸ばすための前記片手制御手段の作動に応答して活性化される、装置。
【請求項２１】
請求項１２に記載の装置であって、前記開放力及び前記閉成力は、第１の移動位置において略等しく、前記開放力及び前記閉成力は、第２の移動位置において等しくない、装置。
【請求項２２】
請求項１に記載の装置であって、前記電子機器パッケージは、全地球測位システム（ＧＰＳ）レシーバ、移動電話機、パーソナルディジタルアシスタント（ＰＤＡ）、ｅブックリーダ、フォトビューワ、ＭＰ３プレーヤ、ニュース警報ビューワ、ストリーミングビデオビューワ、ビデオ遠隔会議装置、リモートコントローラ及び娯楽プログラムガイドからなるグループから選択される装置のための電子機器パッケージである、装置。
【請求項２３】
巻込可能型表示装置であって、
第１のハウジングと、
前記第１のハウジングと連係可能な第２のハウジングと、
前記第１のハウジング及び前記第２のハウジングのうちの少なくとも１つの中に配される電子機器パッケージと、
前記第１のハウジングに結合されるロールフレームと、
前記ロールフレーム内に動作可能に配され、前記第２のハウジングに接続される一端を有し、前記電子機器パッケージからの情報を表示するために前記電子機器パッケージに動作可能に接続される巻込可能ディスプレイと、
第１の４本バー機構及び第２の４本バー機構を有する延展機構と、
を有し、
前記第１の４本バー機構は、前記第１のハウジング及び結合アセンブリに結合され、前記第２の４本バー機構は、前記第２のハウジング及び前記結合アセンブリに結合される、
装置。
【請求項２４】
請求項２３に記載の装置であって、前記第１の４本バー機構は、歯車を介して前記第２の４本バー機構に動作可能に結合される、装置。
【請求項２５】
請求項２３に記載の装置であって、前記巻込可能ディスプレイは、前記巻込可能ディスプレイを巻込構成に向かって付勢する閉成力を掛けるようスプリング負荷がかけられ、当該装置はさらに、開放力をかけるようケーブルにより前記延展機構に結合されたスプリングを有し、前記開放力及び前記閉成力は、第１の位置において略等しく、前記開放力及び前記閉成力は、第２の位置において等しくない、装置。
【請求項２６】
巻込可能型表示装置であって、
第１のハウジングと、
前記第１のハウジングと連係可能な第２のハウジングと、
グラフィカル情報信号を発生する手段と、
前記グラフィカル情報信号に応じてグラフィカル情報を表示し、前記第１のハウジングと前記第２のハウジングとの間に閉成力を付与する巻込可能表示手段と、
前記第１のハウジングと前記第２のハウジングとを広げる延展手段と、
を有する装置。
【請求項２７】
請求項２６に記載の装置であって、前記延展手段は、前記第１のハウジングと前記第２のハウジングとの間に開放力を付与する手段をさらに有する、装置。
【請求項２８】
請求項２７に記載の装置であって、前記閉成力と前記開放力を等しくする手段をさらに有する装置。
【請求項２９】
請求項２６に記載の装置であって、前記巻込可能表示手段を巻込構成にロックする手段をさらに有する装置。
【請求項３０】
請求項２６に記載の装置であって、前記巻込可能表示手段を伸長構成にロックする手段をさらに有する装置。
【請求項３１】
請求項２６に記載の装置であって、前記巻込可能表示手段の伸張を片手で制御するための手段をさらに有する装置。
【請求項３２】
請求項２６に記載の装置であって、巻込構成と伸長構成とで前記巻込可能表示手段の動的振る舞いを確立する手段をさらに有する装置。
【発明の詳細な説明】
【技術分野】
【０００１】
本発明は、２００４年１０月５日に出願された米国仮特許出願第６０／６１６，０９６号についての優先権を主張するものであり、参照によってここに組み入れられる。
【０００２】
本発明は、広く巻込可能型表示装置に関係し、より詳しくは、伸長させられた平面ディスプレイを提供する巻込可能な表示装置に関する。
【背景技術】
【０００３】
最近、小型化及び処理電力の増大化により、電子機器の携帯性の著しい向上が可能になった。複雑な装置がポケットサイズにまで小さくなってきている。消費者が望めば、携帯電話機、音楽プレーヤ、ゲーム機、静止画及び動画ディジタルカメラ、ＧＰＳ探査装置などの機器を持ち運び使うことができる。現在多くの機器は曲げられないガラスの光学ディスプレイを用いているので、依然として、当該装置のサイズ及び形状ファクタは、そうした光学ディスプレイによってしばしば制約がある。このようなディスプレイは、嵩張って重く高価で壊れ易いものである。ディスプレイサイズが大きくなると壊れ易くなるが、ディスプレイサイズを制限すると、当該機器の有用性が低下する。地図などの高解像度を必要とする内容は、小さなディスプレイでは示すことができない。
【０００４】
より高度な携帯性を得るとともにガラス光学ディスプレイの欠点を避けるために、巻き込み可能なディスプレイが開発されている。巻き込み可能なディスプレイは、大抵、使用しないときに格納のためのハウジング内の円筒の周りに巻かれることが可能な柔軟性のある材料により作られる。かかる巻き込み可能なディスプレイを使用するため、ユーザは、片手でその巻き込み可能なディスプレイの露出端部を引きもう片方の手で当該ハウジングを掴む。この巻き込み可能なディスプレイは、所望の内容を表示するために広がる。巻き込み可能なディスプレイがコンパクトな形状に巻くことを可能にする正にその柔軟性が、問題を引き起こす。ユーザは、その内容を見るために巻込可能型ディスプレイを支えかつピンと張られた状態に保持し続けなければならないのである。この姿勢は、不便なだけではなく、当該機器との対話動作をするユーザの能力を制限してしまう。両手を使っているので、ユーザは、その機器のボタンを押すことができない。デザインの選択肢も制限され、巻込可能型ディスプレイをタッチスクリーンとすることができない。何故なら、ユーザは当該スクリーンに触れる手が空いていないからである。
【０００５】
使用のための伸長された位置において巻込可能型ディスプレイを保持するための様々な構成が提案されているが、大抵は安定性に欠けたものである。巻込可能型ディスプレイの一端は大抵は電子機器パッケージに取り付けられており、その電子機器パッケージから離れて伸長される他端は、支持されないまま又は僅かに支持されているだけである。その伸長される端部は、曲がったり又ははためいたりし易い。当該伸長端部は、捻じれることもあるので、当該電子機器パッケージ端部の軸及び当該伸長端部の軸は平行ではない。捩れにより、ディスプレイに集まった反射光及び当該表面にわたる視角のばらつきによりその表示は読み取り難いものとなる。
【発明の開示】
【発明が解決しようとする課題】
【０００６】
上記不具合を克服する巻込可能型表示装置を作ることが望ましいと思われる。
【課題を解決するための手段】
【０００７】
本発明の一態様は、巻込可能型表示装置であって、第１のハウジングと、前記第１のハウジングと連係可能な第２のハウジングと、前記第１のハウジング及び前記第２のハウジングのうちの少なくとも１つの中に配される電子機器パッケージと、前記第１のハウジングに結合されるロールフレームと、前記ロールフレームにおいて回転可能に配され、前記第２のハウジングに結合される一端を有し、前記電子機器パッケージからの情報を表示するために前記電子機器パッケージに動作可能に接続される巻込可能ディスプレイと、第１の脚部アセンブリ、第２の脚部アセンブリ及び結合アセンブリを有する延展機構と、を含む巻込可能型表示装置を提供する。前記第１の脚部アセンブリは、前記第１のハウジング及び前記第２のハウジングを結合し、前記第２の脚部アセンブリは、前記第１のハウジング及び前記第２のハウジングを結合し、前記結合アセンブリは、前記第１の脚部アセンブリ及び前記第２の脚部アセンブリを結合する。
【０００８】
本発明のもう１つの態様は、巻込可能型表示装置であって、第１のハウジングと、前記第１のハウジングと連係可能な第２のハウジングと、前記第１のハウジング及び前記第２のハウジングのうちの少なくとも１つの中に配される電子機器パッケージと、前記第１のハウジングに結合されるロールフレームと、前記ロールフレーム内に動作可能に配され、前記第２のハウジングに接続される一端を有し、前記電子機器パッケージからの情報を表示するために前記電子機器パッケージに動作可能に接続される巻込可能ディスプレイと、第１の４本バー機構及び第２の４本バー機構を有する延展機構とを含む巻込可能型表示装置を提供する。前記第１の４本バー機構は、前記第１のハウジング及び結合アセンブリに結合され、前記第２の４本バー機構は、前記第２のハウジング及び前記結合アセンブリに結合される。
【０００９】
本発明の他の態様は、巻込可能型表示装置であって、第１のハウジングと、前記第１のハウジングと連係可能な第２のハウジングと、グラフィカル情報信号を発生する手段と、前記グラフィカル情報信号に応じてグラフィカル情報を表示し、前記第１のハウジングと前記第２のハウジングとの間に閉成力を付与する巻込可能表示手段と、前記第１のハウジングと前記第２のハウジングとを広げる延展手段とを有する装置を提供する。
【００１０】
以下、本発明の上述した特徴及び効果並びにその他の特徴及び効果を、添付図面と併せて読まれるここに提示の好適な実施例の次の詳細な説明によって明らかとする。かかる詳細な説明及び図面は、本発明を限定するのではなく例示したものに過ぎず、本発明の範囲は、添付の請求項及びその等価事項により規定される。
【発明を実施するための最良の形態】
【００１１】
図１ないし図５は、同様の要素が同様の参照符号を共用しているものであり、本発明により製造された巻込可能型表示装置の図である。巻込可能型表示装置３０は、図１に示されるような、巻込可能ディスプレイ３８がユーザに対して情報を表示するために広げられる伸長構成を有し、また、図２に示されるような、巻込可能型ディスプレイ３８が携帯性及び保護のためにハウジング内に巻かれて入れられる巻込構成を有する。巻込可能ディスプレイ３８の表示部分３９は、巻込可能ディスプレイ３８の捩れ又は曲がりを回避するように伸長構成における平面内に維持される。ここで用いられるような「伸長」及び「伸長構成」なる文言は、巻込可能型表示装置３０のハウジングが分離され、巻込可能ディスプレイ３８の表示部分３９が伸長されユーザに視認されるような構成として定義される。「巻込」及び「巻込構成」なる文言は、巻込可能型表示装置３０のハウジングが連結され巻込可能ディスプレイ３８の表示部分３９が格納のために巻き込まれユーザには視認されないような構成として定義される。巻込可能型表示装置３０は、全地球測位システム（ＧＰＳ）レシーバや、移動電話機、パーソナルディジタルアシスタント（ＰＤＡ）、ｅブックリーダ、フォトビューワ、ＭＰ３プレーヤ、ニュース警報ビューワ、ストリーミングビデオビューワ、ビデオ遠隔会議装置、リモートコントロール、娯楽プログラムガイドなどの、情報を表示する電子装置とすることができる。
【００１２】
巻込可能型表示装置３０は、第１のハウジング３２、第２のハウジング３４、電子機器パッケージ３６、巻込可能ディスプレイ３８及び延展機構５０を含む。延展機構５０は、巻込可能ディスプレイ３８が広げられるときに平坦な形態に巻込可能ディスプレイ３８の表示部分３９を維持する。表示部分３９は、図示を明確にするために透明なものとして示されているが、表示部分３９は、グラフィカルな情報を表示し不透明なものとすることができる。第１のハウジング３２は、巻込可能ディスプレイ３８を支持し保持するためのロールフレーム４０を含む。第１のハウジング３２及び第２のハウジング３４は、連結可能であり、第１のスペース４２と第２のスペース４４をそれぞれ含む。巻込構成において、第１のスペース４２と第２のスペース４４は、巻込可能ディスプレイ３８を受け入れるハウジング内の空所を形成する。巻込可能ディスプレイ３８の一端は、第２のハウジング３４に結合される。巻込可能ディスプレイ３８は、電子機器パッケージ３６からの情報を表示するために電子機器パッケージ３６に動作可能に接続される。巻込可能ディスプレイ３８の端部は、第２のハウジング３４及び／又は電子機器パッケージ３６に物理的に結合可能である。電子機器パッケージ３６は、グラフィカル情報信号を発生し、巻込可能ディスプレイ３８は、当該グラフィカル情報信号に応じてグラフィカル情報を表示する。延展機構５０は、第１のハウジング３２と第２のハウジング３４との間に結合された第１の脚部アセンブリ５２と、第１のハウジング３２と第２のハウジング３４との間に結合された第２の脚部アセンブリ５４と、第１の脚部アセンブリ５２と第２の脚部アセンブリ５４との間に結合された結合アセンブリ５６とを含む。
【００１３】
巻込可能ディスプレイ３８は、電子ペーパ、Ｅインクディスプレイ、ポリマ画像ディスプレイ、エレクトロウェッティング（electrowetting）ディスプレイ、ポリマ発光ダイオード（ＰｏｌｙＬＥＤ）ディスプレイ、有機発光ダイオード（ＯＬＥＤ）ディスプレイ、成層液晶（ＬＣ）ディスプレイなどのグラフィカル情報を表示することができる柔軟性のある巻込可能ディスプレイとすることができる。巻込可能ディスプレイ３８は、ロールフレーム４０内に巻込可能ディスプレイ３８を設置し、巻込可能ディスプレイ３８の表示部分３９を巻き込んだり広げたりするときに静的及び動的な力を制御するのに必要とされるような、スプリング、スピンドル、ブッシング、電気モータ等のハードウェアを含むことができる。電子機器パッケージ３６は、全地球測位システム（ＧＰＳ）レシーバや移動電話機、パーソナルディジタルアシスタント（ＰＤＡ）、パーソナルコンピュータ、ｅブックリーダなどの装置の電子機器パッケージ、又はこうした装置の構成部の電子機器パッケージとすることができる。
【００１４】
図３及び図４を参照すると、第１の脚部アセンブリ５２は、第１の脚部５８と第２の脚部６０とを含む。第１の脚部５８は、ナックルヒンジ継手６２を通じて第２のハウジング３４に、ナックルヒンジ継手６４を通じて第２の脚部６０に取り付けられる。第２の脚部６０は、ナックルヒンジ継手６６を介して第１のハウジング３２に取り付けられる。同様に、第２の脚部アセンブリ５４は、第３の脚部６８及び第４の脚部７０を含む。第３の脚部６８は、ナックルヒンジ継手７２を介して第２のハウジング３４に、ナックルヒンジ継手７４を介して第４の脚部７０に取り付けられる。第４の脚部７０は、ナックルヒンジ継手７６を介して第１のハウジング３２に取り付けられる。結合アセンブリ５６は、その長さ方向に沿う溝７８を有する。結合アセンブリ５６は、ナックルヒンジ継手６４のピンを介して第１の脚部アセンブリ５２に枢動可能に取り付けられる。結合アセンブリ５６は、溝７８においてナックルヒンジ継手７４のピンの箇所を介して第２の脚部アセンブリ５４に摺動自在に取り付けられる。結合アセンブリ５６は、巻込可能型表示装置３０が巻込構成状態にあるときに第３の脚部６８のスロット８０に配置される。代替えの実施例においては、第４の脚部７０は、巻込可能型表示装置３０が巻込構成状態にあるときに結合アセンブリ５６を受けるように当該スロットを含むことができる。
【００１５】
巻込可能型表示装置３０のこの例におけるナックルヒンジ継手の使用により、巻込可能型表示装置３０が巻込構成と伸長構成との間の中間の構成状態にあるとき、また巻込可能ディスプレイ３８が伸長構成状態にあるときに、巻込可能ディスプレイ３８が一平面内に維持される。巻込構成において、第１の脚部５８と第２の脚部６０は、第３の脚部６８と第４の脚部７０と同様に、ほぼ平行となる。結合アセンブリ５６は、第３の脚部６８のスロット８０に配置される。当業者であれば、当該脚部は、当該脚部の間の角度が巻込構成と伸長構成との間の動きを制限しない限り、ほぼ平行なものとみなすことができることが分かる筈である。一実施例において、第１のハウジング３２は、巻込可能型表示装置３０が巻込構成状態にあるときに第１のハウジング３２と第２のハウジング３４とを結合するための連結表面８２を含む。伸長構成において、結合アセンブリ５６は、第１の脚部アセンブリ５２と第２の脚部アセンブリ５４の移動を制限し、ナックルヒンジ継手７４のピン８６は、溝７８の端部に達するまで結合アセンブリ５６の溝においてスライドする。図５は、溝７８の端部における当該ピンの詳細を示している。一実施例において、結合アセンブリ５６は、ピン８６の保持機構として機能するよう溝７８に突出する１つ又は複数の結節部８４を含む。この結節部８４は、溝７８においてピン８６の移動に対する抵抗を与える。当業者であれば、結節部８４のサイズ及び外形が所望の保持力、抵抗力及び／または方向依存性抵抗をもたらすことが分かる筈である。
【００１６】
図３を参照すると、所望の開放及び閉成動作をなすように開放及び閉成力が選択可能である。巻込可能ディスプレイ３８は、大抵、当該ディスプレイを巻き込みかつ巻込可能型表示装置３０が伸長構成状態にあるときに巻込可能ディスプレイ３８の表示部分をピンと張った状態に保持するようにスプリング負荷がかけられる。同じスプリング負荷が、第２のハウジング３４に向かって第１のハウジング３２を付勢し、閉成力をもたらす。第２のハウジング３４から離れるような第１のハウジング３２を付勢する開放力は、様々な構成により発生させることができる。一実施例において、スプリング８８は、各脚部とそれらに関連するハウジングとの間に位置づけられ、第１の脚部５８及び第３の脚部６８を本例では第２のハウジング３４から離れるように押す。当業者であれば、多くのスプリング構成がこの開放及び閉成力を発生するために用いることができることが分かる筈である。例えば、第１の脚部アセンブリ５２と第２の脚部アセンブリ５４との間の結合アセンブリ５６と平行なスプリングを、開放力を発生するための圧縮に用いることができ、或いは閉成力を発生するよう伸張力に用いることができる。スプリングは、閉成力を生み出すためにスプリング８８の反対の脚部５８，６８の側に設けることができる。他の例では、スプリングを、第１の脚部５８と第３の脚部６８との間、第１の脚部５８と第２の脚部６０との間といったような延展機構５０を横切って配置することができる。色々なスプリングの構成が特定の結果を達成するために個々に或いは組み合わせで用いることができる。スプリングは、機械的スプリング、空気バネなどの、力を発生することができるスプリングとすることができる。
【００１７】
開放及び閉成力を拡大縮小することにより、所望の開放及び閉成動作をなすことができる。開放力が閉成力を超えるとき、第１のハウジング３２及び第２のハウジング３４は、第１のハウジング３２及び第２のハウジング３４を共に保持する把持アセンブリ（図示せず）を解放すると巻込構成から出て伸長構成に変わる。巻込構成に戻るため、第１のハウジング３２及び第２のハウジング３４は、当該把持部が噛み合うまで共に押されることが可能である。閉成力が開放力を超えるとき、第１のハウジング３２及び第２のハウジング３４は、第１のハウジング３２及び第２のハウジング３４を離して保持する把持アセンブリ（図示せず）の解放で伸長構成から巻込構成へ共に変わる。伸長構成に戻るため、第１のハウジング３２及び第２のハウジング３４は、当該把持部が噛み合うまで離れるように引き出されることが可能である。
【００１８】
開放力が閉成力に略等しくなるようにこれらが平衡を保つとき、第１のハウジング３２及び第２のハウジング３４は、追加の力が掛けられるまでそれらの現在の構成の状態のままとなる。すなわち、巻込可能型表示装置３０は、巻込構成、中間の構成又は伸長構成に無制限に状態を保つ。当業者であれば、こうした力は、ブッシング、軸受及びダンパなどの特定の機構に依存した当該システムにおける摩擦力の程度しか差がない限り概して等しいものとみなすことができることが分かる筈である。一例において、閉成力が約１．０ニュートンであるとき、摩擦力は約０．１ないし０．５ニュートンとなる可能性がある。平衡状態にある力は、所望の構成とするよう第１及び第２のハウジング３２，３４を若干引き出し又は押し込むことにより巻込構成と伸長構成との簡単な切り替えを可能とする。平衡状態にある力は、巻込構成と伸長構成との間で動くように片手での制御を用いることも可能にする。図３の例では、片手での制御は、第１の脚部５８を第２のハウジング３４の外側を通じて連続するレバー延長部９０に相当する。ユーザは、片手で第２のハウジング３４を保持し、親指で第１のハウジング３２から離れるようレバー延長部９０を引き、巻込構成から伸長構成へ巻込可能型表示装置３０を切り替えることができる。ユーザは、片手に第２のハウジング３４を持ち、親指で第１のハウジング３２に向けてレバー延長部９０を押し、伸長構成から巻込構成へ巻込可能型表示装置３０を切り替えることができる。しかしレバー延長部９０は、片手制御手段の一例であり、結合部、レバー及びボタンの数多くの組み合わせを、追加の開放及び閉成力を平衡状態にある力に掛けて巻込構成と伸長構成との切り替えをなすために用いることができる。一実施例において、片手制御手段は、片手制御手段が巻込構成から伸長構成へ巻込可能ディスプレイ３８を伸ばすように作動させるときに電子機器パッケージ３６を活性化するようなスイッチを作動させることができる。
【００１９】
当業者であれば、スプリング力、ダンパ、軸受け摩擦などの、巻込可能型表示装置の静的及び動的振る舞いに作用する色々なパラメータを、所望の開放及び閉成動作をなすために変えることができることが分かる筈である。例えば、２つのブッシングを含むダンパは、巻込可能ディスプレイ３８とロールフレーム４０との間に設置され、１つのブッシングが当該軸に各々取り付けられ当該ブッシングの間に小さなグリス充填ギャップがあるものとすることができる。電気モータも、開放及び閉成力を発生するために含まれるものとすることができる。
【００２０】
図６ないし図９において、同様の要素は互いにそして図１ないし図５と同様の参照符号を用いており、本発明により製造された巻込可能型表示装置の代替実施例の図が示される。第１及び第２のハウジングの大部分は、延展機構をより明確に示すために図６ないし図９において省略されている。第１のハウジングは、巻込可能ディスプレイについて配され、ロールフレームを含んでおり、第２のハウジングは、電子機器パッケージについて配されている。
【００２１】
巻込可能型表示装置１３０は、ロールフレーム４０を含む第１のハウジング（図示せず）と、電子機器パッケージ３６を収容する第２のハウジング（一部が示されている）３４と、巻込可能ディスプレイ３８と、延展機構５０とを含む。延展機構５０は、巻込可能ディスプレイ３８が伸ばされたときに平坦な構成に巻込可能ディスプレイ３８の表示部分３９を維持する。表示部分３９は、図示の明確さのために透明なのとして示されているが、表示部分３９は、グラフィカル情報を表示し不透明なものとすることができる。巻込可能ディスプレイ３８の一端は、第２のハウジング３４に結合され、電子機器パッケージ３６からの情報を表示するために電子機器パッケージ３６に動作可能に接続される。巻込可能ディスプレイ３８の端部は、第２のハウジング３４及び／又は電子機器パッケージ３６に物理的に結合可能である。延展機構５０は、ロールフレーム４０と第２のハウジング３４との間に結合された第１の脚部アセンブリ５２と、ロールフレーム４０と第２のハウジング３４との間結合された第２の脚部アセンブリ５４と、第１の脚部アセンブリ５２と第２の脚状アセンブリ５４との間に結合された結合アセンブリ５６とを含む。
【００２２】
図７及び図８を参照すると、第１の脚状アセンブリ５２は、第１の脚部５８と第２の脚部６０とを含む。第１の脚部５８は、回転軸１６２において第２のハウジング３４に、回転軸１６４において結合アセンブリ５６に取り付けられる。第２の脚部６０は、回転軸１６５において結合アセンブリ５６に、回転軸１６６においてロールフレーム４０に取り付けられる。同様に、第２の脚状アセンブリ５４は、第３の脚部６８と第４の脚部７０とを含む。第３の脚部６８は、回転軸１７２において第２のハウジング３４に、回転軸１７４において結合アセンブリ５６に取り付けられる。第４の脚部７０は、回転軸１７５において結合アセンブリ５６に、回転軸１７６においてロールフレーム４０に取り付けられる。
【００２３】
延展機構５０は、結合された２つの４本バー機構を含む。第１の４本バー機構は、第２の脚部６０、ロールフレーム４０、第４の脚部７０及び結合アセンブリ５６を含む。第２の４本バー機構は、第１の脚部５８、結合アセンブリ５６、第３の脚部６８及び第２のハウジング３４を含む。一実施例において、第３の脚部６８と第４の脚部７０は、第３の脚部６８と結合アセンブリ５６との間の角度を、第４の脚部７０と結合アセンブリ５６との間の角度に等しくなるように維持する、それぞれの回転軸１７４，１７５について係合可能な歯車を含む。これにより、第１の脚部５８と第３の脚部６８、及び第２の脚部６０と第４の脚部７０は、巻込可能型表示装置１３０が巻込構成と伸長構成とに切り替わる間、略平行に維持される。当業者であれば、これら脚部は、当該脚部間の角度が巻込構成と伸長構成との間の動きを制限しない限りにおいて、略平行なものとみなすことができることが分かる筈である。結合された２つの４本バー機構及び歯車１８０は、自由度を１に制限し、その巻込方向は巻込可能ディスプレイ３８の軸に直角なものとなる。巻込可能ディスプレイ３８は、巻込可能型表示装置１３０が巻込構成と伸長構成との間で動いているとき、また、巻込可能ディスプレイ３８が伸長構成状態にあるときに、一平面内に維持される。
【００２４】
一実施例において、第３の脚部６８及び第４の脚部７０は、伸長構成における移動に適合しかつこれを制限する角の形成された停止部１８２を含む。当業者であれば、この移動制限は、巻込可能型表示装置１３０の様々な場所の停止部によりまた必要に応じて色々なメカニズムによって達成可能であることが分かる筈である。
【００２５】
図９を参照すると、開放及び閉成力は、所望の開放及び閉成動作をなすように選択可能である。巻込可能ディスプレイ３８は、大抵、当該ディスプレイを巻き巻込可能型表示装置１３０が伸長構成状態にあるときに巻込可能ディスプレイ３８の表示部分をピンと張るようにスプリング負荷がかけられる。同じスプリング負荷は、第２のハウジング３４に向かってロールフレーム４０を付勢し、閉成力をもたらす。ローラスプリング１９４は、巻込構成となるよう巻込可能ディスプレイ３８を付勢するための閉成力を付与するスプリングの一例である。図８を参照すると、第２のハウジング３４から離れるようロールフレーム４０を付勢する開放力は、色々な構成によって発生させることができる。一実施例において、スプリング１８８は、第２のハウジング３４と第１の脚部５８に付けられた延長部１８４との間に取り付けられる。スプリング１８８は、延長部１８４を第２のハウジング３４に向けて付勢し、第２のハウジング３４から離れるようロールフレーム４０を付勢するよう回転軸１６２について第１の脚部５８を通じて開放力を与える。当業者であれば、開放及び閉成力を付与するのに数多くのスプリング構成を用いることができることが分かる筈である。例えば、隣接した脚部間、例えば第１の脚部５８と第３の脚部６８との間、又は第１の脚部５８と第２の脚部６０との間に、伸張又は圧縮状態でスプリングを取り付け、必要に応じて開放又は閉成力を発生することができる。特定の結果を得るために個々に又は組み合わせで色々なスプリング構成を用いることができる。かかるスプリングは、機械的スプリング、空気ばねなどの力を与えることができるスプリングとすることができる。
【００２６】
開放及び閉成力を拡大圧縮することにより、所望の開放及び閉成動作をなす。開放力が閉成力を超えるとき、第１のハウジング３２及び第２のハウジング３４は、第１のハウジング３２及び第２のハウジング３４を共に保持する把持アセンブリ１９６の解放で巻込構成から出て伸長構成に変わる。巻込構成に戻るため、第１のハウジング３２及び第２のハウジング３４は、把持アセンブリ１９６が噛み合うまで共に押されることが可能である。閉成力が開放力を超えるとき、第１のハウジング３２及び第２のハウジング３４は、第１のハウジング３２及び第２のハウジング３４を離れて保持する把持アセンブリ１９８の解放により伸長構成から巻込構成へ共に変わる。この例において、把持アセンブリ１９８は、延長部１８４と係合する。伸長構成に戻るため、第１のハウジング３２及び第２のハウジング３４は、把持アセンブリ１９８が延長部１８４と係合するまで離されるように引き出されることができる。開放力が閉成力と概ね等しくなるような力のバランスがとれているとき、第１のハウジング及び第２のハウジングは、付加的な力が掛かるまでそれらの現行の構成状態のままであり、すなわち巻込可能ディスプレイ１３０は、巻込構成、中間の構成又は伸長構成の状態に留まることになる。平衡状態にある力は、第１及び第２のハウジングを所望の構成に若干引き出したり又は押し込んだりすることにより巻込構成と伸長構成とに容易に切り替えることを可能とする。
【００２７】
平衡状態にある力はまた、巻込構成と伸長構成との間で移動するよう片手での制御を用いることを可能にする。図７の例では、片手制御は、回転軸１８６において延長部１８４に枢動自在に取り付けられたリング１９２を備えた連接棒１９０に相当する。リング１９２は、当該ハウジングの外側に延びる。ユーザは、このハウジングを片手で保持し、親指によりリング１９２を押して巻込構成から伸長構成へ巻込可能型表示装置１３０を切り替えるようにすることができる。ユーザは、第２のハウジング３４を片手で持ち、親指でリング１９２を引き、伸長構成から巻込構成へと巻込可能型表示装置１３０を切り替えることができる。しかしこのリンク１９０は、片手制御手段の一例であり、平衡状態にある力に対して付加的な開放及び閉成力をかけ、巻込構成と伸長構成との切り替えをなすために、結合部、レバー及びボタンの数多くの組み合わせを用いることができるものである。当業者であれば、スプリング力、ダンパ、軸受摩擦など、回転可能型表示装置の静的及び動的振る舞いに影響を及ぼす色々なパラメータを、所望の開放及び閉成動作をなすために変えることができることが分かる筈である。電気モータを、開放及び閉成力を発生するために含ませることもできる。
【００２８】
図１０は、同様な要素が図８と同様の参照符号を用いたものであり、本発明により形成された巻込可能型表示装置のもう１つの代替実施例の正面図である。第１及び第２のハウジングの大部分は、延展機構をより明確に示すために図１０では省略されている。第１のハウジングは、当該巻込可能ディスプレイについて配されており、ロールフレームを含んでおり、第２のハウジングは、電子機器パッケージについて配されている。この例は、巻込構成と伸長構成との間で非線形な力を与えるものであり、この場合、巻込可能型表示装置２３０が巻込構成と伸長構成との間にあるときに不安定な平衡ポイントとなる。開放及び閉成力は、移動の一方の部分については等しく、移動の他方の部分については等しくない。
【００２９】
第２のハウジング３４に結合されるスプリング２８８は、ケーブル２１０にも結合され、かかるケーブルは、支柱２１２を通り越し回転軸１７４において完結するものである。回転可能型表示装置２３０が巻込構成状態にあるとき、ケーブル２１０は、脚部５８，６０，６８，７０と位置が揃う。巻込構成と伸長構成との間の中間的構成では、ケーブル２１０は、もはや当該脚部とは揃わないので、スプリング２８８は、開放力を呈する。巻込可能型表示装置２３０が不安定な平衡ポイントまで広がるまで、巻込可能型表示装置２３０は、解放時に巻込構成にまで閉じる。開放力がスプリング負荷の掛けられた巻込可能ディスプレイ３８からの閉成力と等しいとき、巻込可能型表示装置２３０は、不安定な平衡ポイントにある。巻込可能型表示装置２３０が不安定な平衡ポイントと伸長構成との間で広がるとき、巻込可能型表示装置２３０は、解放時に伸長構成へ広がる。当業者であれば、種々の不安定な平衡ポイント及び力を呈する数多くの非線形の組み合わせを、特定のスプリング力並びにケーブル経路及び接続ポイントを選択することにより達成することができることが分かる筈である。スプリング力、ダンパ、軸受摩擦など、巻込可能型表示装置の静的及び動的な作用に影響を及ぼす色々なパラメータを、所望の開放及び閉成動作をなすために変えることができる。開放及び閉成力を呈するために電気モータを含ませることもできる。
【００３０】
図１１は、本発明により形成される巻込可能型表示装置の代替えのスプリング構成の詳細な透視図である。スプリング構成３００は、特定の構成のために所望されるような開放又は閉成力を掛けるために巻込可能型表示装置の継手又は回転軸位置において用いることができる。図示の例では、スプリング構成３００は、第１の脚部３０２に動作可能に結合された第１の停止部３０４と、第２の脚部３０６に動作可能に結合された第２の停止部３０８とを含む。先行負荷のかかった捻りスプリング３１０は、第１の停止部３０４と第２の停止部３０８との間でバネ作用し、第１の脚部３０２と第２の脚部３０６とがなす角が開くように付勢する。一実施例において、先行負荷のかかった捻りスプリング３１０のコイルは、第１の脚部３０２及び第２の脚部３０６を接続する継手のピン又はピボットを取り囲む。当業者であれば、スプリング構成３００は、当該停止部に対するスプリング及びスプリングの先行負荷の方向を切り替えることにより第１の脚部３０２と第２の脚部３０６との間の角を閉じるように付勢するよう変更することが可能であることが分かる筈である。スプリング構成３００は、脚部が脚部に、脚部がハウジングに、又は脚部が結合アセンブリに付く場合に、いずれの継手又は回転軸ポイントにおいても用いることが可能である。
【００３１】
図１２は、同様の要素が図８と同様の参照符号を用いるものであり、本発明により形成される回転可能型表示装置の代替えの把持アセンブリの詳細な正面図である。図示の例では、把持アセンブリ４００は、巻込構成と伸長構成とについてのロック位置といった当該巻込可能型表示装置の２つのロック位置を提供する。把持アセンブリ４００は、輪郭形成された溝４０４を有する延長部４０２を含む。この輪郭形成された溝４０４は、第１の凹部４０６と、接続開口部４０２と、第２の凹部４０８とを含む。把持部４１０は、これら凹部に向かってロックピン４１４に付勢するスプリング４１２を備えたリンク４１６を含む。直接又は付加的な結合を介してユーザがリンク４１６を押し下げると、ロックピン４１４は第２の凹部４０８から接続開口部４０７に動く。巻込可能型表示装置における開放及び閉成力のバランスによって、当該巻込可能型表示装置は、第２のロック位置に対応する別の構成に移動し又は移動可能となる。ロックピン４１４が第１の凹部４０６に達すると、ロックピン４１４は、第１の凹部４０６に係合し第２のロック形成位置にロックがかかる。この手順は、第２のロック形成位置から元の第１のロック形成位置に戻るために逆にすることができる。当業者であれば、必要に応じて、これら２つの凹部のうちの１つが、２つの位置でロックするのではなく１つの位置においてロックする場合は省略可能であることが分かる筈である。同様に第１の凹部と第２の凹部との間の付加的な凹部を、付加的な中間位置におけるロックをなすために設けることができる。当業者であれば、延展機構５０が機械的な結合に限定されないことが分かる筈である。例えば、第１の脚部アセンブリ５２及び第２の脚部アセンブリ５４は、巻込可能型表示装置３０が伸長構成状態にあるときに拡張させられ巻込可能型表示装置３０が巻込構成状態にあるときに収縮させられる膨張可能な突っ張りとすることができる。一実施例において、この膨張可能な突っ張りを巻込可能ディスプレイ３８の表示部３９に組み込むようにすることができる。
【００３２】
ここで開示した本発明の実施例は現時点では好ましいものと考えられるが、本発明の範囲を逸脱することなく様々な変更や変形をなすことができる。本発明の範囲は、添付の請求項に示されるものであり、均等の範囲内にある全ての変形は、ここに包含されることを意図している。
【図面の簡単な説明】
【００３３】
【図１】本発明により製造された巻込可能型表示装置の伸長された構成の透視図。
【図２】本発明により製造された巻込可能型表示装置の巻き込まれた構成の透視図。
【図３】本発明により製造された巻込可能型表示装置の正面断面図。
【図４】本発明により製造された巻込可能型表示装置の横断断面図。
【図５】本発明により製造された巻込可能型表示装置の保持機構の詳細図。
【図６】本発明により製造された巻込可能型表示装置の代替実施例の伸長構成の透視図。
【図７】本発明により製造された巻込可能型表示装置の代替実施例の巻込構成の透視図。
【図８】本発明により製造された巻込可能型表示装置の代替実施例の正面図。
【図９】本発明により製造された巻込可能型表示装置の代替実施例の端面図。
【図１０】本発明により製造された巻込可能型表示装置のもう１つの代替実施例の正面図。
【図１１】本発明により製造された巻込可能型表示装置の代替えのスプリング構成の詳細な透視図。
【図１２】本発明により製造された巻込可能型表示装置の代替えの把持アセンブリの詳細な正面図。
【図１】
2008516270.tif 000003
【図２】
2008516270.tif 000004
【図３】
2008516270.tif 000005
【図４】
2008516270.tif 000006
【図５】
2008516270.tif 000007
【図６】
2008516270.tif 000008
【図７】
2008516270.tif 000009
【図８】
2008516270.tif 000010
【図９】
2008516270.tif 000011
【図１０】
2008516270.tif 000012
【図１１】
2008516270.tif 000013
【図１２】
2008516270.tif 000014
【国際調査報告】
2008516270.tif 000015
2008516270.tif 000016
2008516270.tif 000017